(57)【要約】【課題】使いやすく、正確にマークでき、安価に提供できるマークシート用マーク付け具を提供すること。【解決手段】表裏にマーク箇所１２のあるマークシート１０を両面から挟んでマーク１３をつけるために、一側辺が結合した２枚のマークパターン１４ａ、１４ｂで構成され、これら２枚のマークパターン１４ａ、１４ｂは、表面が滑らかで、マークシート１０の説明文１１が見えるように透明又は半透明の材料からなり、上記２枚のマークパターン１４ａ、１４ｂには、マークシート１０の表裏のマーク箇所１２の位置であって、表裏で互いに重ならないようにマーク１３と略同形、同大のマーク孔１５を開けて形成し、一方のマークパターン１４でマーク１３をつけるときは、他方のマークパターン１４は、下敷１８として作用するように構成したものである。【選択図】　図１
2004082636.tif 000002
【特許請求の範囲】
【請求項１】
表裏にマーク箇所１２のあるマークシート１０を両面から挟んでマーク１３をつけるために、少なくとも一側辺が結合した２枚のマークパターン１４ａ、１４ｂで構成され、これら２枚のマークパターン１４ａ、１４ｂは、筆記具２４で書き込んでも汚れないような表面が滑らかなものであって、マークシート１０の説明文１１が見えるように透明又は半透明の材料からなり、上記２枚のマークパターン１４ａ、１４ｂには、マークシート１０の表裏のマーク箇所１２の位置であって、表裏で互いに重ならないようにマーク１３と略同形、同大のマーク孔１５を開けて形成し、一方のマークパターン１４でマーク１３をつけるときは、他方のマークパターン１４は、下敷１８として作用するように構成したことを特徴とするマークシート用マーク付け具。
【請求項２】
マークシート１０を挟んでマーク箇所１２にマーク１３をつけるために、多数のマーク孔１５を形成した１枚の薄いマークパターン１４と厚い下敷１８とを少なくとも一側辺でスペーサ１６を介在して結合し、前記下敷１８は、マークシート１０のマーク箇所１２に使用された印刷インクと同一又はこれに近い色に着色することにより、目的のマークシート１０に対応させたことを特徴とするマークシート用マーク付け具。
【請求項３】
マークシート１０を挟んでマーク箇所１２にマーク１３をつけるために、多数のマーク孔１５を形成した１枚の薄いマークパターン１４と厚い下敷１８とを相隣る２辺でスペーサ１６を介在して結合し、これら結合した２辺のスペーサ１６の角隅であって、マークパターン１４のマーク孔１５と重ならない位置にごみ抜き切り欠き２１を形成したことを特徴とするマークシート用マーク付け具。
【請求項４】
マークシート１０を挟んでマーク箇所１２にマーク１３をつけるために、多数のマーク孔１５を形成した１枚の薄いマークパターン１４と厚い下敷１８とを一側辺でスペーサ１６を介在して結合し、前記下敷１８は、マークシート１０のマーク箇所１２に使用された印刷インクと同一又はこれに近い色に着色することにより、目的のマークシート１０に対応させたマークシート用マーク付け具と、このマークシート用マーク付け具と異なる種類のマークシート１０に対応するためのマークシート用マーク付け具とを、複数個を１セットとして係止具１９で連結し、各マークシート用マーク付け具における下敷１８の一部を突出させて見出し２３を形成してなることを特徴とするマークシート用マーク付け具。
【請求項５】
種類の異なる複数のマークシート用マーク付け具を１セットとして構成したものを、収納バッグ２５にマークシート１０とともに収納して携帯することを可能にしたことを特徴とする請求項４記載のマークシート用マーク付け具。
【請求項６】
筆記具２４によるマーク箇所１２のみの書き込みを可能とするために、フィルム状であって、マーク孔１５を穿設したマークパターン１４を予めマークシート１０に剥離できるように直接貼り付け、筆記具２４でマークシート１０のマーク箇所１２にマーク１３をつけた後は、マークパターン１４を剥がすようにしたことを特徴とするマークシート用マーク付け具。
【請求項７】
筆記具２４によるマーク箇所１２のみの書き込みを可能とするために、薄い膜状又はコーティング剤をマークシート１０直接にコーティングしたことを特徴とするマークシート用マーク付け具。
【請求項８】
マークパターン１４におけるマーク孔１５の周囲にマーク位置を表示する枠線をつけてなることを特徴とする請求項１乃至７記載のマークシート用マーク付け具。
【請求項９】
マークパターン１４に、マーク孔１５のマーク位置を明示するためにマークシート１０と異なる淡い色に着色してなることを特徴とする請求項１乃至７記載のマークシート用マーク付け具。
【請求項１０】
筆記具２４によるマークシート１０のマーク箇所１２のみの書き込みを可能とするために、同一の説明文１１とマーク箇所１２を印刷したマークシート１０を２枚重ねとし、かつ、これらのマークシート１０のうち、上面のマークシート１０のマーク箇所１２の部分にマーク孔１５を穿設してマークパターン１４とし、これらマークシート１０とマークパターン１４の１辺を接着剤２８にて予め連結してなり、筆記具２４でマークシート１０のマーク箇所１２にマーク１３をつけた後は、マークパターン１４を剥がすようにしたことを特徴とするマークシート用マーク付け具。
【発明の詳細な説明】
【０００１】
【発明の属する技術分野】
本発明は、マークシートの上に被せ、マーク箇所へ正確にマーキングでき、かつ、マーク箇所以外の部分への書き込みを防止するためのマークシート用マーク付け具に関するものである。
【０００２】
【従来の技術】
この種の公営ギャンブルのマークシート１０には、競馬用・競輪用・オートレース用・サッカー用などの投票カードの他、ナンバーズ３用・ナンバーズ４用・ミニロト用・ロト６用などの数字選択式宝くじ申し込みカードなどが存在し、また、同じ種類のギャンブルであっても、投票方法の違いによって複数種類の投票カードが存在する。
これらのマークシート１０は、多数のマーク箇所を有し、選択されたマーク個所を鉛筆、黒色ボールペンなどの筆記具でマークして投票する方式である。
【０００３】
これらのマークシート１０の一例として、図１０に示すものが、競馬用投票カードである。このマークシート１０は、やや厚手の紙などのシートに、説明文１１の部分とマーク箇所１２の部分が印刷されており、説明文１１の部分は、読み易いように色の濃いインクで記載されているが、マーク箇所１２の部分は、自動読み取り機械が判読しないように黄色、オレンジ色などの淡い色のインクで印刷されている。そして、多数のマーク箇所１２のうちの任意の箇所を鉛筆又は黒色ボールペンでマーク１３をつけ、このマーク１３の位置を自動読み取り機械にかけて読み取り、投票を行う。
【０００４】
このようなマークシート１０にマーキングするときには、鉛筆又は黒色ボールペンでマークシート１０に太目の縦線を書き込むように注意書きが記入されている。
ところが、例えば上記マークシート１０は、縦８．３ｃｍ、横１５ｃｍの大きさの１枚のマークシート１０の中に、レース番号、馬番号等、多種類の情報に関するマーク箇所１２が１５０〜２００個も印字されているため、個々のマーク箇所１２のサイズが非常に小さく、また隣合うマーク箇所１２同士の間隔もほとんどない。具体的には、マーク箇所１２は、縦４ｍｍ、横１ｍｍ程度の縦長楕円形であって、マーク箇所同士の間隔は２ｍｍ程度である。このため、個々のマーク箇所１２を間違い易く、また、筆記具によるマーク１３が目当てのマーク箇所１２からはみ出してしまったり、隣のマーク箇所１２まで塗りつぶしたり、マークの線が細すぎたりするなどのため、自動読み取り機械で誤って読み取られてしまうという問題があった。
【０００５】
このような問題点を解決するため、３つ折にした投票カードのカバー部分を、マークシート記入用の開孔を形成して透明テンプレートとした投票カードホルダーが提案されている（特開２００２−１０９４８６号公報）。
【０００６】
【発明が解決しようとする課題】
マークシート１０には、マーク箇所１２が表側だけでなく、表裏に記入されているものがある。このような表裏にマーク箇所１２が記入されたマークシート１０は、マーク箇所１２が表裏で異なる位置に記入されているので、１種類の透明テンプレートだけでは用を足さず、表用と裏用の透明テンプレートが必要としていた。
【０００７】
また、例えば、競馬用のマークシート１０には、投票方式の違いにより３種類あり、間違いを少なくするため、色分けして表示されているだけでなく、種類によってマーク箇所１２の位置が異なるため、１枚の透明テンプレートを使いまわすことはできない。このため、すべての種類に対応できるようにしておくことが望まれる。
【０００８】
透明テンプレートを使ってマーキングするためには、できるだけ速やかに、しかも、正確に位置合せができるものであることが臨まれる。位置合わせのために形成した段差部分にごみが貯まったりすると、マーク箇所１２とマーク１３が合わなくなって、自動読み取り機械での読み取りが不正確になり、トラブルの原因になるなどの問題がある。
【０００９】
透明テンプレートを使用すると、透明テンプレートの開孔の位置がマークシート１０のマーク箇所１２の上で判別しづらく、しかも、透明テンプレートは、光を反射してマークシート１０のマーク箇所１２が見えにくい、という問題がある。
【００１０】
本発明は、以上のような種々の問題や要望を解決するためになされたもので、使いやすく、正確にマークでき、安価に提供できるマークシート用マーク付け具を提供することを目的とするものである。
【００１１】
【課題を解決するための手段】
本発明は、表裏にマーク箇所１２のあるマークシート１０の場合、このマークシート１０を両面から挟んでマーク１３をつけるために、一側辺が結合した２枚のマークパターン１４ａ、１４ｂで構成され、これら２枚のマークパターン１４ａ、１４ｂは、筆記具２４で書き込んでも汚れないような表面が滑らかなものであって、マークシート１０の説明文１１が見えるように透明又は半透明の材料からなり、上記２枚のマークパターン１４ａ、１４ｂには、マークシート１０の表裏のマーク箇所１２の位置であって、表裏で互いに重ならないようにマーク１３と略同形、同大のマーク孔１５を開けて形成し、一方のマークパターン１４でマーク１３をつけるときは、他方のマークパターン１４は、下敷１８として作用するように構成したことを特徴とするマークシート用マーク付け具である。
【００１２】
片面にのみマーク箇所１２のあるマークシート１０の場合、マークシート１０を挟んでマーク箇所１２にマーク１３をつけるために、多数のマーク孔１５を形成した１枚の薄いマークパターン１４と厚い下敷１８とを一側辺でスペーサ１６を介在して結合し、前記下敷１８は、マークシート１０のマーク箇所１２に使用された印刷インクと同一又はこれに近い色に着色することにより、目的のマークシート１０に対応させたことを特徴とするマークシート用マーク付け具である。
【００１３】
【発明の実施の形態】
本発明によるマークシート用マーク付け具の各実施例を図１から図９に基づき説明する。
図１（ａ）（ｂ）は、本発明の第１実施例を示すもので、表裏にマーク箇所１２のあるマークシート１０に対応できる例を示している。
図１０に示す勝ち馬投票券等１０は、縦８．３ｃｍ、横１５ｃｍの厚紙製のカードであって、このマークシート１０の表裏に、式別、レース番号、枠番号、馬番号、賭け金額、取消等を記入するための説明文１１と、マーク箇所１２とがそれぞれ記入されている。
【００１４】
このような両面のマーク箇所１２にマーク１３をつけるために、図１に示す例では、表用のマークパターン１４ａと裏用のマークパターン１４ｂとの２枚重ねで構成されている。これら２枚のマークパターン１４ａと１４ｂは、左端など１つの側辺でスペーサ１６を挟んで結合し、その隙間にマークシート１０が差し込まれる。このスペーサ１６の内方端を位置合わせライン１７とし、この位置合わせライン１７からマークパターン１４の他方端までがマークシート１０の横の長さ１５ｃｍとし、また、マークパターン１４の幅は、マークシート１０の縦８．３ｃｍの長さと等しくする。
マークパターン１４ａ、１４ｂは、湾曲可能であり、鉛筆やボールペン等により書き込んでも汚れないような表面が滑らかなものであって、マークシート１０の説明文１１が見えるように透明又は半透明の塩化ビニールその他の薄手の透明プラスチックが適している。
【００１５】
前記２枚のマークパターン１４ａ、１４ｂには、マークシート１０の表裏のマーク箇所１２の位置に、マーク１３と略同形、同大のマーク孔１５を開けて形成する。これらのマーク孔１５の位置は、表用のマークパターン１４ａの場合は、図１（ａ）に実線で示し、裏用のマークパターン１４ｂの場合は、図１（ａ）に点線で示しているように、表裏で重ならないようになっている。したがって、表用のマークパターン１４ａでマーク１３をつけるときは、裏用のマークパターン１４ｂは、下敷１８として作用し、逆に、裏用のマークパターン１４ｂでマーク１３をつけるときは、表用のマークパターン１４ａは、下敷１８として作用する。
２枚のマークパターン１４ａ、１４ｂのスペーサ１６と反対側の端部には、差し込んだマークシート１０を抜き取るためのシート取り出し切り欠き２２がそれぞれ形成されている。
【００１６】
このような構成において、表裏に説明文１１とマーク箇所１２の記入されたマークシート１０を、２枚のマークパターン１４ａ、１４ｂの間に、表裏をよく確認して挟み込む。マークシート１０の左端が位置合わせライン１７にぴったりと接し、かつ、マークシート１０の上・下・右端がマークパターン１４の側辺と一致させる。そして、目的とするマーク箇所１２のマーク孔１５の中を鉛筆やボールペン等の筆記具２４でなぞりながらマーク１３をつける。マークシート１０が表側のときは、表用のマークパターン１４ａは、本来のマークパターン１４として作用し、裏用のマークパターン１４ｂは、下敷１８として作用して、はっきりとしたマーク１３が正確に記入される。
【００１７】
マークシート１０の裏側にマーク１３をつけるときは、２枚のマークパターン１４ａ、１４ｂの間にマークシート１０を挟んだまま表裏反転する。この状態で、裏側のマーク箇所１２と裏用のマークパターン１４ｂのマーク孔１５ｂが一致しているので、前記同様、目的とするマーク箇所１２のマーク孔１５の中をなぞりながら筆記具２４でマーク１３をつける。マークシート１０が裏側のときは、裏用のマークパターン１４ｂは、本来のマークパターン１４として作用し、表用のマークパターン１４ａは、下敷１８として作用して、はっきりとしたマーク１３が正確に記入される。
記入されたマークシート１０は、シート取り出し切り欠き２２から抜き取られる。
【００１８】
図２は、本発明の第２実施例を示すもので、表面だけにマーク箇所１２のあるマークシート１０に対応し、かつ、多くの種類のマークシート１０の中で対応するマークシート１０に間違いなく選択できるマークシート用マーク付け具の例を示している。
この例では、１枚の薄いマークパターン１４と厚い下敷１８とをスペーサ１６を介在して貼り付けたもので、下敷１８は、対応するマークシート１０に使用するものとして間違いなく選択できるように目印がつけられる。
具体的には、競馬用の場合、「単勝／複勝／枠連／馬連／ワイド／３連複用の投票カード」は、説明文１１が黒インクで印刷され、「馬単専用投票カード」は、説明文１１が赤インクで印刷され、「ながし／ボックス連勝用投票カード」は、説明文１１が青色で印刷されている。そこで、これらのマークシート１０に使用するものには、下敷１８を印刷インクと同一又はこれに近い色に着色されたものが使用される。また、マークパターン１４又は／及び下敷１８に、「単勝／複勝／枠連／馬連／ワイド／３連複用の投票カード」、「馬単専用投票カード」、「ながし／ボックス連勝用投票カード」などの文字を印刷するようにしてもよい。
【００１９】
このようなマークパターン１４又は／及び下敷１８にカード別目印がついていることで、多くの種類のマークシート１０の中で対応するマークシート１０に間違いなく選択でき、また、厚手の下敷１８によりマーク１３がはっきりと記入されるとともに、マークシート１０のへたりや折れ曲がりを防ぐことができる。。
【００２０】
図３は、本発明の第３実施例を示すもので、下敷１８の左辺と下辺にスペーサ１６を介在し、その上にマークパターン１４を貼着したマークシート用マーク付け具の例を示している。
この場合、２辺のスペーサ１６の角隅の段差部分にごみが貯まると、マークシート１０が正しく位置合わせライン１７に接しなくなり、マーク１３の位置にずれが生じる恐れがある。そのため、２辺のスペーサ１６の角隅にごみ抜き切り欠き２１を形成する。このごみ抜き切り欠き２１は、マーク孔１５に重ならない形状であればよい。
【００２１】
図４及び図５（ａ）（ｂ）は、本発明の第４実施例を示すもので、異なる種類のマークシート用マーク付け具を複数冊が１セットとなるようにして係止具１９で連結したマークシート用マーク付け具の例を示している。
具体的には、競馬用の場合、図２に示すマークシート用マーク付け具であって、「単勝／複勝／枠連／馬連／ワイド／３連複用の投票カード」のためのマークシート用マーク付け具と、「馬単専用投票カード」のためのマークシート用マーク付け具と、「ながし／ボックス連勝用投票カード」のためのマークシート用マーク付け具とが１セットとして、それぞれのスペーサ１６の位置に係止孔２０を穿設し、係止具１９で連結したものである。各マークシート用マーク付け具９ａ、９ｂ、９ｃの下敷１８ａ、１８ｂ、１８ｃをそれぞれの説明文１１の印刷インクと同一又はこれに近い色に着色されたものが使用されることで、３種類を区別している。また、マークパターン１４又は／及び下敷１８に、「単勝／複勝／枠連／馬連／ワイド／３連複用の投票カード」、「馬単専用投票カード」、「ながし／ボックス連勝用投票カード」などの文字を印刷するようにしてもよい。
【００２２】
また、マークシート用マーク付け具９ａ、９ｂ、９ｃにおけるマークパターン１４又は下敷１８の一部を互いに重ならないように上方に突出させて見出し２３ａ、２３ｂ、２３ｃを形成することで利用しやすく構成されている。これらの下敷１８ａ、１８ｂ、１８ｃとそれぞれの見出し２３ａ、２３ｂ、２３ｃの境界部分には、図５（ｂ）に示すように、見出し２３ａ、２３ｂ、２３ｃ側が肉厚となるような段部を形成して、位置合わせライン１７とすることにより、マークシート１０の正しい位置決めとなる。
前記マークシート用マーク付け具９ａは、表裏にマーク箇所１２を有するマークシート１０について使用するものであるから、図２に示すように構成されたマークシート用マーク付け具に代えて、又は、一緒に図１に示すように構成されたマークシート用マーク付け具をも加えて１セットとして組み込むようにしてもよい。
【００２３】
前記係止具１９の内側には、鉛筆、黒色ボールペンなどの筆記具２４を差し込んでおくこともできる。
このように種類の異なる複数のマークシート用マーク付け具を１セットとして構成したものは、図６に示すような収納バッグ２５に収納される。すなわち、収納バッグ２５の上端に蓋２６を一体に設け、この蓋２６の内側と収納バッグ２５の外側に、面状ファスナー、爪と切り欠き、ホックなどの係止部２７をそれぞれ設けることにより、マークシート用マーク付け具９ａ、９ｂ、９ｃとマークシート１０とを一緒に収納して携帯する。
【００２４】
図７は、本発明の第５実施例を示すもので、筆記具２４によるマーク箇所１２のみの書き込みを可能とするために、フィルム状であって、マーク孔１５を穿設したマークパターン１４ｃを予めマークシート１０に直接貼り付けたマークシート用マーク付け具の例である。そして、筆記具２４でマークシート１０のマーク箇所１２にマーク１３をつけた後は、マークパターン１４ｃを剥がして捨てる。なお、マークシート１０とマークパターン１４ｃとの接着は、マークシート１０のマーク箇所１２にマーキングした後には容易に剥離できるような接着剤を用いる。
【００２５】
図８は、本発明の第６実施例を示すもので、筆記具２４によるマーク箇所１２のみの書き込みを可能とするために、薄い膜状又はコーティング剤をマークシート１０にコーティングしたマークシート用マーク付け具の例である。そして、筆記具２４でマークシート１０のマーク箇所１２にマーク１３をつけた後もマークパターン１４ｃをそのまま残しておき、そのまま自動読み取り機械にかけるものである。
【００２６】
図９は、本発明の第６実施例を示すもので、筆記具２４によるマークシート１０のマーク箇所１２のみの書き込みを可能とするために、マークシート１０に、このマークシート１０と全く同一の紙に説明文１１とマーク箇所１２を印刷し、かつ、マーク箇所１２の部分にマーク孔１５を穿設したマークパターン１４を重ね合わせ、上辺部分を接着剤２８にて予め貼り付けたマークシート用マーク付け具の例である。そして、筆記具２４でマークシート１０のマーク箇所１２にマーク１３をつけた後は、マークパターン１４を剥がして捨てる。マークパターン１４が不透明であっても説明文１１が印刷され、かつ、マークシート１０のマーク箇所１２がマーク孔１５を通して見えるので、マーク１３の位置を間違えることはない。
【００２７】
前記実施例では、マークシート１０が競馬用の投票カードの場合を例として説明したが、競輪用・オートレース用・サッカー用などの投票カードの他、ナンバーズ３用・ナンバーズ４用・ミニロト用・ロト６用などの数字選択式宝くじ申し込みカードなどであっても、寸法やマーク箇所１２の位置などがやや異なるが、基本的には同一であり、そのまま利用できる。たとえば、ナンバーズ３用カードの表題は、「ＮＵＭＢＥＲＳ３」と印刷され、かつ、「３」の文字が赤色であり、・ナンバーズ４用カードの表題は、「ＮＵＭＢＥＲＳ４」と印刷され、かつ、「４」の文字が緑色であるから、図２における目印として、これらの表題や着色で区別できる。
【００２８】
マークパターン１４が透明である場合には、マーク孔１５の位置がマークパターン１４を透かして見えるマークシート１０の地の色と区別にくい場合があるので、マーク孔１５の位置を明示するためにマーク孔１５の周囲にマーク位置を表示する枠線をつけるようにしてもよい。
また、枠線に代えて、又は枠線とともに、マークパターン１４に、マーク孔１５のマーク位置を明示するためにマークシート１０と異なる淡い色に着色するようにしてもよい。この場合、着色する色は、マークシート１０の説明文１１が十分読み取れる濃さであることが好ましい。
【００２９】
【発明の効果】
請求項１記載の発明によれば、表裏にマーク箇所１２のあるマークシート１０を両面から挟んでマーク１３をつけるために、一側辺が結合した２枚のマークパターン１４ａ、１４ｂで構成され、これら２枚のマークパターン１４ａ、１４ｂは、筆記具２４で書き込んでも汚れないような表面が滑らかなものであって、マークシート１０の説明文１１が見えるように透明又は半透明の材料からなり、上記２枚のマークパターン１４ａ、１４ｂには、マークシート１０の表裏のマーク箇所１２の位置であって、表裏で互いに重ならないようにマーク１３と略同形、同大のマーク孔１５を開けて形成し、一方のマークパターン１４でマーク１３をつけるときは、他方のマークパターン１４は、下敷１８として作用するように構成したので、マークが目当ての箇所からはみ出たり、隣のマーク箇所まで塗りつぶしてしまうことがない。また、マーク孔１５が表裏で互いに重ならないので、一方のマークパターン１４でマーク１３をつけるときは、他方のマークパターン１４は、下敷１８として作用し、しっかりと正確にマークをつけることができる。
従って、機械読み取り時の誤りもなく、投票内容を誤ることもなくなる。
【００３０】
請求項２記載の発明によれば、マークシート１０を挟んでマーク箇所１２にマーク１３をつけるために、多数のマーク孔１５を形成した１枚の薄いマークパターン１４と厚い下敷１８とを一側辺でスペーサ１６を介在して結合し、前記下敷１８は、マークシート１０のマーク箇所１２に使用された印刷インクと同一又はこれに近い色に着色することにより、目的のマークシート１０に対応させたので、複数種類のマークシート１０があっても、間違いなくマーク１３を付けることができる。
【００３１】
請求項３記載の発明によれば、マークシート１０を挟んでマーク箇所１２にマーク１３をつけるために、多数のマーク孔１５を形成した１枚の薄いマークパターン１４と厚い下敷１８とを相隣る２辺でスペーサ１６を介在して結合し、これら結合した２辺のスペーサ１６の角隅であって、マークパターン１４のマーク孔１５と重ならない位置にごみ抜き切り欠き２１を形成したので、マークシート１０を常に正確に位置合せができる。
【００３２】
請求項４記載の発明によれば、マークシート１０を挟んでマーク箇所１２にマーク１３をつけるために、多数のマーク孔１５を形成した１枚の薄いマークパターン１４と厚い下敷１８とを一側辺でスペーサ１６を介在して結合し、前記下敷１８は、マークシート１０のマーク箇所１２に使用された印刷インクと同一又はこれに近い色に着色することにより、目的のマークシート１０に対応させたマークシート用マーク付け具と、このマークシート用マーク付け具と異なる種類のマークシート１０に対応するためのマークシート用マーク付け具とを、複数個を１セットとして係止具１９で連結し、各マークシート用マーク付け具における下敷１８の一部を突出させて見出し２３を形成したので、種類の異なるマークシート１０であっても、適合するマークパターンをすぐに探し出すことができ、１セットで多くの種類のマークシートにマーキングを行うことができる。更に、各マークパターンは貼り付けられている下敷きの色により区別されているので、識別しやすく、マークシートに該当するマークパターンを見分けやすい。
【００３３】
請求項５記載の発明によれば、種類の異なる複数のマークシート用マーク付け具を１セットとして構成したものを、収納バッグ２５にマークシート１０とともに収納して携帯するようにしたので、多種類のマークシート１０について過不足なくマーキングを可能となる。
【００３４】
請求項６記載の発明によれば、筆記具２４によるマーク箇所１２のみの書き込みを可能とするために、フィルム状であって、マーク孔１５を穿設したマークパターン１４を予めマークシート１０に剥離できるように直接貼り付け、筆記具２４でマークシート１０のマーク箇所１２にマーク１３をつけた後は、マークパターン１４を剥がすようにしたので、マークシート１０にマークパターン１４をいちいちあわせることなく、正確にマークを付けることができる。
【００３５】
請求項７記載の発明によれば、筆記具２４によるマーク箇所１２のみの書き込みを可能とするために、薄い膜状又はコーティング剤をマークシート１０直接にコーティングしたので、マークシート１０にマークパターン１４をいちいちあわせることなく、正確にマークを付けることができ、また、マーキング後も剥がすことなく読み取り機械にかけることができる。
【００３６】
請求項８記載の発明によれば、マークパターン１４におけるマーク孔１５の周囲にマーク位置を表示する枠線をつけたので、マークシート１０のマーク箇所１２を正しく認識することができる。
請求項９記載の発明によれば、マークパターン１４に、マーク孔１５のマーク位置を明示するためにマークシート１０と異なる淡い色に着色したので、マークシート１０のマーク箇所１２を正しく認識することができる。
【００３７】
請求項１０記載の発明によれば、筆記具２４によるマークシート１０のマーク箇所１２のみの書き込みを可能とするために、同一の説明文１１とマーク箇所１２を印刷したマークシート１０を２枚重ねとし、かつ、これらのマークシート１０のうち、上面のマークシート１０のマーク箇所１２の部分にマーク孔１５を穿設してマークパターン１４とし、これらマークシート１０とマークパターン１４の１辺を接着剤２８にて予め連結してなり、筆記具２４でマークシート１０のマーク箇所１２にマーク１３をつけた後は、マークパターン１４を剥がすようにしたので、不透明なマークパターン１４であっても、正確にマーク１３を付けることができる。
【図面の簡単な説明】
【図１】本発明によるマークシート用マーク付け具の第１実施例を示すもので、（ａ）は、正面図、（ｂ）は、（ａ）の側面図及び一部の拡大断面図である。
【図２】本発明によるマークシート用マーク付け具の第２実施例を示す側面図及び一部の拡大断面図である。
【図３】本発明によるマークシート用マーク付け具の第３実施例を示すもので、（ａ）は、正面図、（ｂ）は、（ａ）の側面図及び一部の拡大断面図である。
【図４】本発明によるマークシート用マーク付け具の第４実施例を示す一部の拡大断面図である。
【図５】（ａ）は、図４に示したマークシート用マーク付け具の全体の斜視図、（ｂ）は、下敷１８の側面図である。
【図６】図５に示したマークシート用マーク付け具を収納する収納バッグ２５の斜視図である。
【図７】本発明によるマークシート用マーク付け具の第５実施例を示す一部の拡大断面図である。
【図８】本発明によるマークシート用マーク付け具の第６実施例を示す一部の拡大断面図である。
【図９】本発明によるマークシート用マーク付け具の第７実施例を示すもので、（ａ）は、正面図、（ｂ）は、（ａ）の側面図及び一部の拡大断面図である。
【図１０】マークシート１０が競馬用投票カードの例を示す正面図である。
【符号の説明】
１０…マークシート、１１…説明文、１２…マーク箇所ごみ抜き切り欠き、１３…マーク、１４…マークパターン、１５…マーク孔、１６…スペーサ、１７…位置合わせライン、１８…下敷、１９…係止具、２０…係止孔、２１…ごみ抜き切り欠き、２２…シート取り出し切り欠き、２３…見出し、２４…筆記具、２５…収納バッグ、２６…蓋、２７…係止部、２８…接着剤。
【図１】
2004082636.tif 000003
【図２】
2004082636.tif 000004
【図３】
2004082636.tif 000005
【図４】
2004082636.tif 000006
【図５】
2004082636.tif 000007
【図６】
2004082636.tif 000008
【図７】
2004082636.tif 000009
【図８】
2004082636.tif 000010
【図９】
2004082636.tif 000011
【図１０】
2004082636.tif 000012